(57)【要約】【課題】  鋳物製の門扉であっても外観よく落とし棒を設けることができ、また落とし棒ががたつきにくいように設けることができる門扉の落とし棒の構造を提供する。【解決手段】  門扉１の縦枠３の下部に横断面略コ字状の凹所１２を下端まで至るように凹設してスライドガイド部１３を設ける。横断面略コ字状の落とし棒２をスライドガイド部１３に上下にスライド自在に被嵌すると共に落とし棒２の外面と縦枠３の外面とを略面一にする。【選択図】        図１
2005048448.tif 000002
【特許請求の範囲】
【請求項１】
門扉の縦枠の下部に横断面略コ字状の凹所を下端まで至るように凹設してスライドガイド部を設け、横断面略コ字状の落とし棒をスライドガイド部に上下にスライド自在に被嵌すると共に落とし棒の外面と縦枠の外面とを略面一にしたことを特徴とする門扉の落とし棒の構造。
【請求項２】
スライドガイド部の下端と落とし棒の下端とのうち一方に磁石を設けると共に他方に磁石に磁着する磁性体の金属のプレートを設けたことを特徴とする請求項１記載の門扉の落とし棒の構造。
【請求項３】
門扉を閉塞して落とし棒を落としたとき落とし棒の下端が納まる受け皿を地面に設置し、受け皿内に固定プレートを起倒自在に装着し、固定プレートを起立させた状態で固定プレートと落とし棒とを連結し得るようにしたことを特徴とする請求項１記載の門扉の落とし棒の構造。  
【発明の詳細な説明】
【技術分野】
【０００１】
本発明は、門扉を閉じたとき門扉が開閉しないようにロックするための落とし棒の構造に関し、特にアルミ鋳物製の門扉に用いる落とし棒の構造に関するものである。
【背景技術】
【０００２】
従来、アルミ鋳物のような鋳物製の門扉１に落とし棒２を設ける場合、例えば、図６に示すように門扉１の縦枠３の下部の家屋側の外面に落とし棒受け金具４をねじ５にて取り付け、落とし棒受け金具４の上下に貫通する穴６に丸棒状の落とし棒２を上下動自在に挿通し、落とし棒受け金具４のガイド溝７を介して落とし棒つまみ８を落とし棒２に螺合してあり、落とし棒２を下方に落としたときに地面に設けた受け皿９に落とし棒２の下端を嵌合させるようにしたものがある（例えば、特許文献１参照）。
【０００３】
かかる従来例にあっては、落とし棒受け金具４や落とし棒２が家屋側から見た場合、目立って外観が悪くなるという問題があり、また丸棒状の落とし棒２を落とし棒受け金具４の穴６に挿通して上下動自在にしているため、落とし棒２が落とし棒受け金具４に対してがたつきやすく、門扉１を開閉するとき金属同士の接触で音が出たりするという問題がある。また門扉１を閉めたとき落とし棒２の下端を受け皿９に挿入するが、丸棒状の落とし棒２の下端を角形の受け皿９に挿入するために落とし棒２が受け皿９に対してがたつきやすいという問題がある。
【０００４】
また他の従来例として図７に示すように門扉１の下の横枠１０や横棧１１に鋳物成形するとき、中子にて挿通穴を形成しておき、この挿通穴に落とし棒２を上下動自在に挿通したものもある。かかる従来例では落とし棒受け金具４がないために先の従来例のものに比べて外観がよくなるが、依然として丸棒状の落とし棒２が目立って外観が悪いという問題がある。また落とし棒２のがたつきや落とし棒２の受け皿９に対するがたつきは依然としてある。
【０００５】
また他の従来例として門扉の中空の縦枠内に落とし棒を上下動自在に内装するもののある（例えば、特許文献２や特許文献３参照）。かかる従来例では落とし棒が外観上見えないようにできるために外観が良くなるが、中空の縦枠内に落とし棒を組み込むために構造が複雑になるという問題があり、また鋳物製の門扉の場合縦枠を中空にできないために採用することができないという問題がある。
【特許文献１】実開平５−４０６００号公報
【特許文献２】実開平１−１２９４９６号公報
【特許文献３】特開平７−２２９３８０号公報
【発明の開示】
【発明が解決しようとする課題】
【０００６】
本発明は上記の従来の問題点に鑑みて発明したものであって、鋳物製の門扉であっても外観よく落とし棒を設けることができ、また落とし棒ががたつきにくいように設けることができる門扉の落とし棒の構造を提供することを課題とするものである。
【課題を解決するための手段】
【０００７】
上記課題を解決するために本発明の門扉の落とし棒の構造は、門扉１の縦枠３の下部に横断面略コ字状の凹所１２を下端まで至るように凹設してスライドガイド部１３を設け、横断面略コ字状の落とし棒２をスライドガイド部１３に上下にスライド自在に被嵌すると共に落とし棒２の外面と縦枠３の外面とを略面一にしたことを特徴とする。横断面略コ字状の落とし棒２を外面が縦枠３の外面と略面一になるように設けることで縦枠３と一体感のある外観となって落とし棒２が目立たず、外観を向上できる。また横断面略コ字状の落とし棒２が横断面略コ字状の凹所１２に収まってスライドガイド部１３に対して上下にスライドするため落とし棒２をがたつきにくいように設けることができる。また落とし棒２が横断面コ字状であるため、受け皿９が角形であると落とし棒２を落としたときに落とし棒２の下端がぴったり嵌合して落とし棒２が受け皿９に対してがたつくのも防止できる。
【０００８】
またスライドガイド部１３の下端と落とし棒２の下端とのうち一方に磁石１４を設けると共に他方に磁石１４に磁着する磁性体の金属のプレート１５を設けたことを特徴とすることも好ましい。落とし棒２を上にスライドさせて持ち上げたとき、磁石１４にプレート１５を磁着させることができ、落とし棒２を持ち上げた状態に保持できる。このように磁着で保持できるので、止めねじを設けたりするのに比べて外観よく保持できる。
【０００９】
また門扉１を閉塞して落とし棒２を落としたとき落とし棒２の下端が納まる受け皿９を地面に設置し、受け皿９内に固定プレート１６を起倒自在に装着し、固定プレート１６を起立させた状態で固定プレート１６と落とし棒２とを連結し得るようにしたことを特徴とすることも好ましい。落とし棒２を落としたとき、落とし棒２の下端を受け皿９に挿入して落とし棒２を止めることができ、門扉１が開閉しないように止めることができる。この際、固定プレート１６と落とし棒２とを連結することで落とし棒２の下端が受け皿９から抜けないように確実に止めることができる。
【発明の効果】
【００１０】
本発明は叙述の如く横断面略コ字状の落とし棒を外面が縦枠の外面と略面一になるように設けることで縦枠と一体感のある外観となって落とし棒が目立たず、外観を向上できるという効果があり、また横断面略コ字状の落とし棒が横断面略コ字状の凹所に収まってスライドガイド部に対して上下にスライドするため落とし棒をがたつきにくいように設けることができるという効果があり、また落とし棒が横断面コ字状であるため、受け皿が角形であると落とし棒を落としたときに落とし棒の下端がぴったり嵌合して落とし棒が受け皿に対してがたつくのも防止できるという効果がある。
【発明を実施するための最良の形態】
【００１１】
以下、本発明を添付図面に示す実施形態に基いて説明する。門扉１はアルミ鋳物のような鋳物製であり、鋳造成形にて一体に形成してある。門扉１の吊り元側と反対の縦枠３の下部には鋳造成形するとき図１に示すように横断面略コ字状の凹所１２を下端に至るまで形成してあり、この凹所１２を設けることで残りの部分をスライドガイド部１３としてある。本例の場合、凹所１２はリップ付きコ字状の横断面形状に形成されており、スライドガイド部１３の横断面形状をＴ字状にしてある。このスライドガイド部１３の下端は後述するプレート１５の厚み分の寸法αだけ図２（ａ）のように切り欠いてあり、門扉１の下端よりスライドガイド部１３の下端がαの寸法だけ上に位置している。
【００１２】
落とし棒２は上記凹所１２の横断面形状に合致する断面形状になるように形成されている。本例の場合、凹所１２がリップ付コ字状の横断面形状のため落とし棒２の横断面形状もリップ付コ字状にしてある。この落とし棒２はアルミの押し出し成形や板金加工で形成されている。落とし棒２は上記のように横断面形状がリップ付きコ字状に形成されるが、リップ部には上下全長に亙るようにタッピングホール３６を設けてある。この落とし棒２は凹所１２に納まるようにスライドガイド部１３に被嵌され、落とし棒２が上下にスライド自在になるように装着されている。落とし棒２には上下に長い長孔１７を穿設してあり、落とし棒２の外から長孔１７を介してスライドガイド部１３の取り付け穴１８にねじ１９を螺合してある。そしてねじ１９を緩めた状態で落とし棒２を上下に自在にスライドさせることができ、ねじ１９を締め付けることで落とし棒２の任意の高さに固定して落とし棒２のがたつきを防止できるようになっている。
【００１３】
また落とし棒２の下端には矩形状のプレート１５を配置してあり、このプレート１５の取り付け穴３５からタッピングホール３６にねじ２０を螺合してプレート１５を取り付けてある。本例の場合、スライドガイド部１３の下端面には図２（ｂ）に示すように磁石１４を両面粘着テープにて貼り付けてあり、プレート１５はスチールのような磁性体の金属にて形成してある。このようにしてあると、落とし棒２を上方に移動させたとき、プレート１５が磁石１４に磁着してこの状態が保持される。この磁石１４と磁性体の金属のプレート１５とは上記と逆に設けてあってもよい。
【００１４】
例えば、一対の門柱２１間に門扉１を設ける際、図３に示すように門扉１として開閉扉（親扉）１ａと受扉（子扉）１ｂとが設けられる場合があるが、図３の例の場合、受扉１ｂの方に落とし棒２を装着してある。開閉扉１ａにはラッチと操作レバー２２を設けてあり、受扉１ｂにはラッチ受け２３を設けてある。また地面には角形の受け皿９を装着してある。そして門扉１を閉じた状態で落とし棒２を落とすと、落とし棒２の下端が受け皿９内に挿入され、門扉１が開閉しないように止められる。落とし棒２を持ち上げると、磁石１４とプレート１５とが磁着して落とし棒２が持ち上げられた状態が保持される。このときねじ１９を締め付けることでも落とし棒２が持ち上げられた状態が保持される。このように落とし棒２を持ち上げた状態で門扉１を自在に開閉することができる。落とし棒２を持ち上げとき、スライドガイド部１３の下端を前述のようにαの寸法だけ上に位置させてあると、落とし棒２の下端のプレート１５が奇麗に納まる。
【００１５】
次に図４及び図５に示す他の例について述べる。受け皿９はゴム、樹脂等に角形に形成されており、受け皿９の底部の取り付け穴２５に上からねじ２６を挿通し、地面に埋設したアンカープラグ２７にねじ２６を螺合することで受け皿９を地面に取り付けてある。つまり、マンション等で地面がコンクリートの場合、受け皿９を地面に埋めることができないが、上記のようにアンカープラグ２７を用いると、受け皿９を取り付けることができる。
【００１６】
受け皿９内の両側には軸受け部２８を一体に設けてあり、この受け皿９内にはアルミ押し出し材、樹脂押し出し材、アルミダイキャスト材等からなる固定プレート１６を収納してある。この固定プレート１６は本例の場合、受け皿蓋も兼ねている。この固定プレート１６には軸穴２９を設けてあり、軸受け部２８と軸穴２９とにはステンレススチール、スチール、アルミ等からなる回転軸３０を挿通してあり、この回転軸３０を中心に固定プレート１６が起倒自在になっている。固定プレート１６には雌ねじ穴からなる取り付け穴３１を設けてある。落とし棒２の下端の両側には軸受け部２８が納まる略逆Ｕ字状の切り欠き３２を設けてあり、落とし棒２の下部には挿通穴３３を設けてある。
【００１７】
落とし棒２を持ち上げた状態では図５（ａ）のようになっており、門扉１の開閉がフリーの状態になっている。このとき固定プレート１６が倒れて受け皿蓋の機能を果たしており、外観がよくなっている。この状態から落とし棒２を落とすと、落とし棒２の下端が受け皿９内に挿入され、軸受け部２８が切り欠き３２に納まる。この状態で落とし棒２が受け皿９に係止して門扉１が開閉しないようになっている。さらに落とし棒２を受け皿９に固定する場合は図５（ｂ）に示すように固定プレート１６を起こし、取り付け穴３１と挿通穴３３を合致させ、挿通穴３３から取り付け穴３１にねじ３４を螺合して落とし棒２と固定プレート１６とを連結する。
【図面の簡単な説明】
【００１８】
【図１】本発明の実施の形態の一例の要部の分解斜視図である。
【図２】（ａ）はスライドガイド部の下端の切り欠きを説明する正面図、（ｂ）はスライドガイド部の下端に磁石を貼り付けた状態を示す斜視図である。
【図３】同上の門扉の全体の例を示す斜視図である。
【図４】同上の他の例の要部を示す分解斜視図である。
【図５】（ａ）（ｂ）は同上の動作を説明する断面図である。
【図６】一従来例を示す分解斜視図である。
【図７】他の従来例を示す斜視図である。
【符号の説明】
【００１９】
１  門扉  
２  落とし棒
３  縦枠
１２  凹所
１３  スライドガイド部
１４  磁石
１５  プレート
１６  固定プレート
【図１】
2005048448.tif 000003
【図２】
2005048448.tif 000004
【図３】
2005048448.tif 000005
【図４】
2005048448.tif 000006
【図５】
2005048448.tif 000007
【図６】
2005048448.tif 000008
【図７】
2005048448.tif 000009